(57)【要約】【課題】放送のような特別な通信帯域を使用したシステムを妨害すること無く、ホワイトスペースを用いた無線通信を十分に行わせることが可能な制御装置を提供する。【解決手段】所定の周波数帯を使用する第１の通信サービスの需要情報又は供給情報と、前記所定の周波数帯を二次利用する第２の通信サービスの需要情報又は供給情報とを取得し、前記需要情報又は前記供給情報に基づいて、前記所定の周波数帯の通信リソースを、前記第１の通信サービスと前記第２の通信サービスとに配分する制御部と、を備える、制御装置が提供される。【選択図】図１
2016199549.tif 000002
【特許請求の範囲】
【請求項１】
所定の周波数帯を使用する第１の通信サービスの需要情報又は供給情報と、前記所定の周波数帯を二次利用する第２の通信サービスの需要情報又は供給情報とを取得し、前記需要情報又は前記供給情報に基づいて、前記所定の周波数帯の通信リソースを、前記第１の通信サービスと前記第２の通信サービスとに配分する制御部を備える、制御装置。
【請求項２】
前記制御部は、予測された将来の需要情報及び／又は供給情報を取得し、前記予測された将来の需要情報又は供給情報に基づいて前記通信リソースを配分する、請求項１に記載の制御装置。
【請求項３】
前記制御部は、取得した情報を提示するための情報を生成する、請求項１に記載の制御装置。
【請求項４】
前記制御部は、前記通信リソースの配分結果に基づき前記第１の通信サービスで送信されるデータの一部を差し替えさせるための情報を生成する、請求項１に記載の制御装置。
【請求項５】
前記制御部は、取得した情報に基づいて前記通信リソースの配分プランを生成する、請求項１に記載の制御装置。
【請求項６】
前記制御部は、推薦する前記配分プランを提示するための情報を生成する、請求項５に記載の制御装置。
【請求項７】
前記制御部は、前記所定の周波数帯でデータが送信される際の単価を取得する、請求項１に記載の制御装置。
【請求項８】
前記単価は、前記第１の通信サービスで提供されるデータの内容に応じて決定される、請求項７に記載の制御装置。
【請求項９】
前記単価は、前記第２の通信サービスでデータが通信される時間帯に応じて決定される、請求項７に記載の制御装置。
【請求項１０】
前記制御部は、前記第１の通信サービスを使用する受信装置からの要求に基づいて前記通信リソースを配分する、請求項１に記載の制御装置。
【請求項１１】
前記制御部は、前記受信装置が前記第１の通信サービスを使用する権利がある場合に限り該受信装置へ前記第１の通信サービスでデータを送信するよう決定する、請求項１０に記載の制御装置。
【請求項１２】
前記制御部は、前記第１の通信サービスで提供されるデータを送信する権利がある場合に限り該受信装置へ前記第１の通信サービスでデータ送信するよう決定する、請求項１０に記載の制御装置。
【請求項１３】
前記制御部は、前記第１の通信サービスで提供されたデータの送信状況を集計する、請求項１に記載の制御装置。
【請求項１４】
前記制御部は、さらに、前記第２の通信サービスで出力するデータの出力強度を制御する、請求項１に記載の制御装置。
【請求項１５】
前記制御部は、周波数帯ごとに通信リソースを前記第１の通信サービスと前記第２の通信サービスとに配分する、請求項１に記載の制御装置。
【請求項１６】
所定の周波数帯を使用する第１の通信サービスの需要情報又は供給情報を取得することと、
前記需要情報又は前記供給情報に基づいて、通信リソースを前記第１の通信サービスと、前記所定の周波数帯を二次利用する第２の通信サービスとに配分することと、
を含む、方法。
【請求項１７】
コンピュータに、
所定の周波数帯を使用する第１の通信サービスの需要情報又は供給情報を取得することと、
前記需要情報又は前記供給情報に基づいて、通信リソースを前記第１の通信サービスと、前記所定の周波数帯を二次利用する第２の通信サービスとに配分することと、
を実行させる、コンピュータプログラム。
【発明の詳細な説明】
【技術分野】
【０００１】
本開示は、制御装置、方法及びコンピュータプログラムに関する。
【背景技術】
【０００２】
昨今、携帯電話の進化とともに、無線通信でやり取りされる情報も通話の情報から、音楽、画像、動画といったよりサイズの大きいマルチメディアの情報に変化してきている。このようにサイズの大きい情報をやり取りするようになった結果、無線通信への需要は大幅に拡大して、これにともない、無線通信のリソース供給はひっ迫する事態になってきている。【０００３】
一方、テレビ塔、ラジオ局などからの電波は、必ずしも常時利用されているわけでもない。また、全ての場所で利用できるわけでもない。そこで、このようなテレビ局、ラジオ局、あるいは、何らかの認可が下りている特別な通信帯域について、空き時間、空き領域があれば、逼迫している無線通信に利用する対策が検討されるようになってきた。ホワイトスペース利用とは、このような空き時間、空き領域、空き帯域を利用する技術である（下記非特許文献１参照）。またテレビのホワイトスペースであるＴＶホワイトスペースを通じたデータ伝送についての技術も提案されている。例えば下記特許文献１には、ホワイトスペースの中から使おうとする周波数チャンネルの情報をスペクトルセンシングにて取得する手続に関する技術が開示されている。
【先行技術文献】
【特許文献】
【０００４】
【特許文献１】特表２０１２−５０９６０８号公報
【非特許文献】
【０００５】
【非特許文献１】「IEEE802.22  WG  on  WRANs」、［online］、［２０１５年５月１日検索］、インターネット＜URL：http://www.ieee802.org/22/＞
【発明の概要】
【発明が解決しようとする課題】
【０００６】
実際に放送電波の空き時間、空き領域を無線通信に利用すると、放送電波を無線電波が妨害する恐れがある。放送電波を無線電波が妨害しないようにするために多めにマージンを確保した上で、無線システムで利用すると、無線システムは十分な通信を行えなくなる。【０００７】
そこで本開示では、放送のような特別な通信帯域を使用したシステムを妨害すること無く、ホワイトスペースを用いた無線通信を十分に行わせることが可能な、新規かつ改良された制御装置、方法及びコンピュータプログラムを提案する。
【課題を解決するための手段】
【０００８】
本開示によれば、所定の周波数帯を使用する第１の通信サービスの需要情報又は供給情報と、前記所定の周波数帯を二次利用する第２の通信サービスの需要情報又は供給情報とを取得し、前記需要情報又は前記供給情報に基づいて、前記所定の周波数帯の通信リソースを、前記第１の通信サービスと前記第２の通信サービスとに配分する制御部と、を備える、制御装置が提供される。【０００９】
また本開示によれば、所定の周波数帯を使用する第１の通信サービスの需要情報又は供給情報を取得することと、前記需要情報又は前記供給情報に基づいて、通信リソースを前記第１の通信サービスと、前記所定の周波数帯を二次利用する第２の通信サービスとに配分することと、を含む、方法が提供される。【００１０】
また本開示によれば、コンピュータに、所定の周波数帯を使用する第１の通信サービスの需要情報又は供給情報を取得することと、前記需要情報又は前記供給情報に基づいて、通信リソースを前記第１の通信サービスと、前記所定の周波数帯を二次利用する第２の通信サービスとに配分することと、を実行させる、コンピュータプログラムが提供される。
【発明の効果】
【００１１】
以上説明したように本開示によれば、放送のような特別な通信帯域を使用したシステムを妨害すること無く、ホワイトスペースを用いた無線通信を十分に行わせることが可能な、新規かつ改良された制御装置、方法及びコンピュータプログラムを提供することができる。【００１２】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１３】
【図１】本開示の実施の形態に係る放送システムの構成例を示す説明図である。
【図２】放送用のチャンネル（周波数帯域）の使用状況の時間的変化の例をグラフで表す説明図である。
【図３】ホワイトスペースを使用した無線通信システムを配置した場合のシステム構成例を示す説明図である。
【図４】システム構成例を示す説明図である。
【図５】システム構成例を示す説明図である。
【図６】システム構成例を示す説明図である。
【図７】本開示の実施の形態に係るＷＳＤ１００の機能構成例を示す説明図である。
【図８】本開示の実施の形態に係るＷＳＤ１００の動作例を示す流れ図である。
【図９】通信リソース配分ＵＩ  １６０の構成例を示す説明図である。
【図１０】本開示の実施の形態に係るＷＳＤ１００の変形例を示す説明図である。
【図１１】本開示の実施の形態に係るＷＳＤ１００の変形例を示す説明図である。
【図１２】本開示の実施の形態に係るＷＳＤ１００の動作例を示す流れ図である。
【図１３】本実施形態に係るＷＳＤ１００を用いた広告収入の流れについて説明する図である。
【図１４】ユーザインタフェースの例を示す説明図である。
【図１５】ユーザインタフェースの例を示す説明図である。
【図１６】ユーザインタフェースの例を示す説明図である。
【図１７】ユーザインタフェースの例を示す説明図である。
【図１８】ユーザインタフェースの例を示す説明図である。
【図１９】ユーザインタフェースの例を示す説明図である。
【図２０】ユーザインタフェースの例を示す説明図である。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
なお、説明は以下の順序で行うものとする。
１．本開示の一実施形態
１．１．背景
１．２．構成例
１．３．動作例
１．４．ユーザインタフェース構成例
１．５．変形例
１．６．ユーザインタフェース例
２．まとめ
【００１６】
＜１．本開示の一実施形態＞
［１．１．背景］
本開示の実施の形態について詳細に説明する前に、本開示の実施の形態の背景について説明する。
【００１７】
上述したように、昨今、携帯電話の進化とともに、無線通信でやり取りされる情報も通話の情報から、音楽、画像、動画といったよりサイズの大きいマルチメディアの情報に変化してきている。このようにサイズの大きい情報をやり取りするようになった結果、無線通信への需要は大幅に拡大して、これにともない、無線通信のリソース供給はひっ迫する事態になってきている。
【００１８】
一方、テレビ塔、ラジオ局などからの電波は、必ずしも常時利用されているわけでもない。また、全ての場所で利用できるわけでもない。そこで、このようなテレビ局、ラジオ局、あるいは、何らかの認可が下りている特別な通信帯域について、空き時間、空き領域があれば、逼迫している無線通信に利用する対策が検討されるようになってきた。ホワイトスペース利用とは、このような空き時間、空き領域、空き帯域を利用する技術である
【００１９】
以下の説明では、特定の事業者に利用許可が与えられた周波数帯を利用するサービスがデジタルＴＶ放送（ＤＴＶ）である場合を説明する。なお特定の事業者に利用許可が与えられた周波数帯を利用するサービスは、デジタルテレビ放送の他に、ワイヤレスマイク、レーダ（軍用、艦載、気象等）、固定衛星サービス、テレメトリ、地球探査衛星等が含まれうる。
【００２０】
しかし、放送電波の空き時間、空き領域を無線通信に利用すると、放送電波を無線電波が妨害したり、完全なホワイトスペースで無いところで無線システムが通信をすることで放送システムが利用できなくなったりするおそれがある。そこで、従来では無線システムが、放送エリアに侵入しないようにしたり、仮に侵入するとしても、無線電波の送信電力を小さくしたりする対策が考えられてきた。
【００２１】
このうち、無線システムが、放送エリアに侵入しないようにする方法は、言い換えれば放送電波が全く届かない領域だけで、ホワイトスペース利用の施策をするというものである。しかし、無線通信が逼迫する地域は、人口密度が高く、放送電波が届く領域であることが多い。このため、この方法はあまり有効ではない。
【００２２】
そこでもう一方の方法、すなわち無線システムが、放送エリアに侵入した場合に無線電波の送信電力を小さくする方法が検討されてきた。この方法は、何らかのセンシングシステムを用いて、放送電波の強度や、無線システムからの干渉の度合いをセンシングし、放送電波を妨害しないように無線システムを運用するというものである。上記特許文献１には、ホワイトスペースの中から使おうとする周波数チャンネルの情報をスペクトルセンシングにて取得する手続に関する技術が開示されている。
【００２３】
しかし実際には、実際に放送電波の空き時間、空き領域を無線通信に利用すると、放送電波を無線電波が妨害する恐れがある。放送電波を無線電波が妨害しないようにするために多めにマージンを確保した上で、無線システムで利用すると、無線システムは十分な通信を行えなくなる。
【００２４】
そこで本件開示者は、上述した背景に鑑み、放送システムのような所定の周波数帯を使用する通信サービスを妨害せずに、無線通信のような当該周波数帯を使用した別の通信サービスを十分に利用できる技術について、鋭意検討を行った。その結果、本件開示者は、以下で説明するように、所定の周波数帯の通信リソースを適切に配分することで、所定の周波数帯を使用する通信サービスを妨害せずに、当該周波数帯を使用した別の通信サービスを十分に利用できる技術を考案するに至った。
【００２５】
以上、本開示の実施の形態の背景について説明した。
【００２６】
［１．２．構成例］
続いて、本開示の実施の形態の構成例について説明する。
【００２７】
最初に、本開示の実施の形態が適用されるシステムの構成例を説明する。図１は、本開示の実施の形態に係る放送システムの構成例を示す説明図である。
【００２８】
図１に示した放送システムは、放送局の電波塔１０が、当該放送局に割り当てられた周波数帯の電波で、デジタルテレビ（ＤＴＶ）放送を受信機（ＤＴＶ受信機）へ向けて送信するものである。
【００２９】
図１には、放送局の電波塔１０が送信する電波が届く範囲を示すカバレージエリア１１、放送局の電波塔１０が送信する電波が届かない範囲を示すホワイトスペース２０、及び、カバレージエリア１１とホワイトスペース２０との境界部分に位置する難視聴エリア１２と、が示されている。カバレージエリア１１及び難視聴エリア１２は模式的に示したものであり、電波塔１０から送信される電波の指向性や地形などの影響によりカバレージエリア１１及び難視聴エリア１２は変化しうる。また図１には、ＤＴＶ放送を受信する３台のＤＴＶ受信機２００ａ、２００ｂ、２００ｃがカバレージエリア１１の中に存在する様子が示されている。
【００３０】
放送局が電波塔１０から発信する電波は、認可された放送局のみが優先的に使用できる周波数帯を保持する。しかし実際には、電波が届かなかったり、放送されていなかったり、使用されていなかったりするなどの理由で、使われていない領域が存在する。そこで、このような領域では、放送電波の周波数帯を使って無線通信を行うことが検討されている。
【００３１】
図２は、放送用のチャンネル（周波数帯域）の使用状況の時間的変化の例をグラフで表す説明図である。図２に示したように、実際の放送は、時間帯によって使用されていない場合がある。例えば深夜などの放送が終了している時間帯では、この放送用の周波数帯は使われない場合がある。さらには図２に示したように、チャンネルとチャンネルの間にも、使われない周波数帯がある。そこで、ホワイトスペースを使用した無線通信システムは、図２に示したような、放送されていない時間帯や、そもそも放送用に使われていない周波数帯を利用して無線通信を行う。
【００３２】
図３は、図１に示した放送システムに、ホワイトスペースを使用した無線通信システムを配置した場合のシステム構成例を示す説明図である。図３には、放送局が使用する周波数帯におけるホワイトスペースを使用した無線通信を行うホワイトスペースデバイス（以下「ＷＳＤ」）１００ａ、１００ｂ、１００ｃ、１００ｄが示されている。また図３には、それぞれのＷＳＤ１００ａ、１００ｂ、１００ｃ、１００ｄのカバレージエリア１０１ａ、１０１ｂ、１０１ｃ、１０１ｄも示されている。以下の説明では、ＷＳＤを総称する際にはＷＳＤ１００と単に称し、ＷＳＤ１００のカバレージエリアは単にカバレージエリア１０１と称することもある。
【００３３】
図３に示したようなシステム構成の場合、ホワイトスペース２０に位置するＷＳＤ１００ｂは電波塔１０から遠く離れており、電波塔１０が発信する電波と同じ周波数帯を用いた、ＷＳＤ１００ｂが発信する電波が、カバレージエリア１１の内側にあるＤＴＶ受信機２００ａ、２００ｂ、２００ｃにおけるＤＴＶ放送の受信に影響を及ぼすことはない。しかし、ＤＴＶ受信機２００ａ、２００ｂ、２００ｃの近くに位置するＷＳＤ１００ａ、１００ｂ、１００ｃが発信する、電波塔１０が発信する電波と同じ周波数帯を用いた電波は、ＤＴＶ受信機２００ａ、２００ｂ、２００ｃにおけるＤＴＶ放送の受信に影響を及ぼすことは十分に考えられる。
【００３４】
発した電波がＤＴＶ受信機２００ａ、２００ｂ、２００ｃにとって妨害電波とならないように、ＷＳＤ１００は、例えば難視聴エリア１２などに配置する必要があり、また、その送信電波の強度をかなり小さくしなければならない。しかし、送信電波の強度を小さくし過ぎてしまうと、ＷＳＤ１００は、無線端末との間で十分に情報をやり取りすることができない。
【００３５】
図４は、放送サービスを妨害せずに、無線通信のような周波数帯を二次的に使用した別の通信サービスを十分に利用するためのシステム構成例を示す説明図である。
【００３６】
図４に示したシステム構成例では、ＷＳＤ１００ａは、電波塔１０から送信されるデジタルテレビ放送のコンテンツを自ら受信し、そのデジタルテレビ放送のコンテンツをＤＴＶ受信機２００ａに向けて送信する。ＷＳＤ１００ａは、ＤＴＶ受信機２００ａに向けた送信を無線で行っても、有線で行ってもよい。このようにＷＳＤ１００ａが電波塔１０から送信されるデジタルテレビ放送のコンテンツを自ら受信して、受信したデジタルテレビ放送のコンテンツをＤＴＶ受信機２００ａに向けて送信することで、ＤＴＶ受信機２００ａにおけるＤＴＶ放送の受信に影響が及ばない。
【００３７】
しかし、図４に示したシステム構成例によって放送サービスの妨害を回避しようとすると、ＷＳＤ１００ａは、電波塔１０から送信されるデジタルテレビ放送のコンテンツを直接受信できる位置に無ければならない。しかも、ＷＳＤ１００ａ自身が、ＤＴＶ受信機２００ａにとって妨害となり得る電波を発しており、電波塔１０から送信されるデジタルテレビ放送のコンテンツを受信するために大きなアンテナなどを備える必要がある。そこで、別の方法が考えられる。
【００３８】
図５は、放送サービスを妨害せずに、無線通信のような周波数帯を二次的に使用した別の通信サービスを十分に利用するためのシステム構成例を示す説明図である。
【００３９】
図５に示したシステム構成例では、ＷＳＤ１００ａは、電波塔１０から送信されるデジタルテレビ放送のコンテンツを自ら受信するのではなく、電波塔１０とは別の場所に設けられた放送の中継局３０からデジタルテレビ放送のコンテンツを受信し、その情報をＤＴＶ受信機２００ａに向けて送信する。ＷＳＤ１００ａは、ＤＴＶ受信機２００ａに向けた送信を無線で行っても、有線で行ってもよい。このようにＷＳＤ１００ａが電波塔１０から送信されるデジタルテレビ放送のコンテンツを中継局３０から受信して、受信したデジタルテレビ放送のコンテンツをＤＴＶ受信機２００ａに向けて送信することで、ＤＴＶ受信機２００ａにおけるＤＴＶ放送の受信に影響が及ばない。
【００４０】
図６は、放送サービスを妨害せずに、無線通信のような周波数帯を二次的に使用した別の通信サービスを十分に利用するためのシステム構成例を示す説明図である。
【００４１】
図６に示したシステム構成例では、ＷＳＤ１００ａは、電波塔１０から送信されるデジタルテレビ放送のコンテンツを自ら受信するのではなく、電波塔１０から所定の周波数でデジタルテレビ放送のコンテンツを送信する放送局４０からそのデジタルテレビ放送のコンテンツを受信し、受信したデジタルテレビ放送のコンテンツをＤＴＶ受信機２００ａに向けて送信する。ＷＳＤ１００ａは、ＤＴＶ受信機２００ａに向けた送信を無線で行っても、有線で行ってもよい。このようにＷＳＤ１００ａが電波塔１０から送信されるデジタルテレビ放送のコンテンツを放送局４０から受信して、受信したデジタルテレビ放送のコンテンツをＤＴＶ受信機２００ａに向けて送信することで、ＤＴＶ受信機２００ａにおけるＤＴＶ放送の受信に影響が及ばない。
【００４２】
ＷＳＤ１００は、電波塔１０から所定の周波数で送信されるデジタルテレビ放送のコンテンツを何らかの方法で取得して、受信したデジタルテレビ放送のコンテンツを再配信する際に、後述するように、通信リソース（周波数帯や送信時間）を適切に配分する。ＷＳＤ１００は、通信リソースを適切に配分することで、所定の周波数帯を使用する通信サービスを妨害せずに、当該周波数帯を使用した別の通信サービスを十分に利用することを可能にする。
【００４３】
以上、本開示の実施の形態が適用されるシステムの構成例を説明した。続いて、本開示の実施の形態に係るＷＳＤ１００の機能構成例について説明する。
【００４４】
図７は、本開示の実施の形態に係るＷＳＤ１００の機能構成例を示す説明図である。以下、図７を用いて本開示の実施の形態に係るＷＳＤ１００の機能構成例について説明する。
【００４５】
図７に示したように、本開示の実施の形態に係るＷＳＤ１００は、放送コンテンツ取得部１１０と、無線通信受信部１２０と、通信リソース配分部１３０と、放送コンテンツ再配信部１４０と、無線通信送信部１５０と、を含んで構成される。
【００４６】
放送コンテンツ取得部１１０は、電波塔１０から所定の周波数帯で送信されるデジタルテレビ放送のコンテンツを取得する。放送コンテンツ取得部１１０は、デジタルテレビ放送のコンテンツを、無線で取得しても、有線で取得してもよい。放送コンテンツ取得部１１０は、デジタルテレビ放送のコンテンツを取得すると、取得したコンテンツを通信リソース配分部１３０に送る。
【００４７】
無線通信受信部１２０は、他の装置、例えば基地局や端末装置から所定の周波数帯で送信される電波を受信して、その電波に乗せられた情報を取得する。無線通信受信部１２０は、無線通信受信部１２０が受信する電波の周波数帯は、放送コンテンツ取得部１１０が取得するコンテンツが電波塔１０から送信される際のデジタルテレビ放送の周波数帯と同じでも良く、異なっていても良い。無線通信受信部１２０は、電波を受信して、その電波に乗せられた情報を取得すると、取得した情報を通信リソース配分部１３０に送る。
【００４８】
通信リソース配分部１３０は、本開示の制御部の一例であり、現在の放送及び無線通信の使用状況に基づいて、通信リソースを放送と無線とに配分する。通信リソース配分部１３０は、通信リソースとして、周波数帯を放送と無線とに配分してもよく、同一の周波数帯における使用可能な時間帯を放送と無線とに配分してもよい。また通信リソース配分部１３０は、通信リソースを放送と無線とに配分する際に、周波数帯ごとに配分してもよい。
【００４９】
通信リソース配分部１３０は、通信リソースを放送と無線とに配分する際に、ＷＳＤ１００を操作するＷＳＤ１００のオペレータによって操作されることを目的とした通信リソース配分ＵＩ（Ｕｓｅｒ  Ｉｎｔｅｒｆａｃｅ）１６０からの指示に基づいて配分する。通信リソース配分部１３０は、通信リソースを放送と無線とに配分すると、配分した通信リソースに基づいて放送コンテンツ再配信部１４０からデジタルテレビ放送のコンテンツを再配信が行われるとともに、無線通信送信部１５０によって無線通信が行われる。
【００５０】
通信リソース配分部１３０は、通信リソースを放送と無線とに配分する際に、ＷＳＤ１００やデジタルテレビ放送の現在又は今後の需要と供給に応じて配分しても良い。通信リソース配分部１３０は、通信リソースを放送と無線とに配分する際に、ＷＳＤ１００やデジタルテレビ放送の現在又は今後の需要と供給に応じて配分しても良い。現在の需要や今後の供給に応じて通信リソースを放送と無線とに配分する場合、通信リソース配分部１３０は、今後の需要や供給の予測の情報を用いても良い。
【００５１】
放送コンテンツ再配信部１４０は、通信リソース配分部１３０によって配分された放送用の通信リソースを用いて、放送コンテンツ取得部１１０が取得したデジタルテレビ放送のコンテンツを再配信する。無線通信送信部１５０は、通信リソース配分部１３０によって配分された無線通信用の通信リソースを用いて無線による情報の送信を行う。
【００５２】
本開示の実施の形態に係るＷＳＤ１００は、図７に示したような構成を有することで、通信リソースを放送と無線とに適切に配分することが出来る。本開示の実施の形態に係るＷＳＤ１００は、通信リソースを放送と無線とに適切に配分することで、所定の周波数帯を使用する通信サービスを妨害せずに、当該周波数帯を使用した別の通信サービスを十分に利用することを可能にする。
【００５３】
本開示の実施の形態に係るＷＳＤ１００を適切に動作させるには、放送と無線通信との適切な切り替えが必要になる。しかし、単に放送と無線通信とを併存させるだけでは、所定の周波数帯を使用する放送を無線通信が妨害するおそれがある。従って本開示の実施の形態に係るＷＳＤ１００は、放送と無線通信との現在の状況に応じて、放送と無線通信とを適切に切り替えを行うことが必要になる。
【００５４】
放送と無線通信との現在の状況には、ＷＳＤ１００が電波塔１０のカバレージエリア１１にいるか否か、ＷＳＤ１００が電波塔１０のカバレージエリア１１にいて、放送中か否か、ＷＳＤ１００が電波塔１０のカバレージエリア１１にいて、電波塔１０から放送中であり、放送の視聴者からの放送リクエストがあるか、ＷＳＤ１００が電波塔１０のカバレージエリア１１の外側にいて、かつ電波塔１０から放送中であり、放送の視聴者からの放送リクエストがあるか、が考えられる。
【００５５】
ＷＳＤ１００は、放送と無線通信との現在の状況に応じて、無線通信のみを行うか、デジタルテレビ放送のコンテンツの再配信を行うかを決定する。またＷＳＤ１００は、デジタルテレビ放送のコンテンツの再配信について、再配信する対象が、自身の作りだした難視聴エリアのユーザか、そもそも電波が届かないエリアのユーザかに応じて、再配信の方法を変化させる。具体的には、ＷＳＤ１００が自ら作りだした難視聴エリアのユーザにコンテンツを再配信するのであれば無料で送信し、電波が届かないエリアへのリピータの役割を果たすために再配信するのであれば、放送局または視聴者から対価を得た上で送信する。
【００５６】
ＷＳＤ１００は、デジタルテレビ放送のコンテンツを再配信するに際して、送信対象のユーザが当該コンテンツを視聴する権利があるかどうかを考慮しても良い。送信対象のユーザが当該コンテンツを視聴する権利があれば、ＷＳＤ１００は、そのユーザに向けてコンテンツを送信するが、権利が無ければ、ＷＳＤ１００は、そのユーザに向けてコンテンツを送信しないようにする、またはそのユーザが権利を得るのを待ってから送信するようにする。
【００５７】
上述した内容を踏まえ、ＷＳＤ１００の動作例について説明する。
【００５８】
［１．３．動作例］
図８は、本開示の実施の形態に係るＷＳＤ１００の動作例を示す流れ図である。図８に示したのは、無線通信のみを行うか、デジタルテレビ放送のコンテンツの再配信を行うかを決定する際の、ＷＳＤ１００の動作例である。以下、図８を用いて本開示の実施の形態に係るＷＳＤ１００の動作例について説明する。なお、図８に示した一連の動作は、例えば通信リソース配分部１３０が実行する。
【００５９】
ＷＳＤ１００は、まず電波塔１０からデジタルテレビ放送が所定の周波数帯で放映中であるかどうかを判断する（ステップＳ１０１）。ＷＳＤ１００は、電波塔１０からデジタルテレビ放送が所定の周波数帯で放映中であるかどうかは、その周波数帯で信号を受信できるか、また受信したとしてもその信号の受信レベルが所定の閾値未満であるかどうかで判断しても良い。
【００６０】
デジタルテレビ放送が所定の周波数帯で放映中でなければ（ステップＳ１０１、Ｎｏ）、ＷＳＤ１００は、当該周波数帯を無線通信のみに使用することを決定する（ステップＳ１０２）。一方、デジタルテレビ放送が所定の周波数帯で放映中であれば（ステップＳ１０１、Ｙｅｓ）、ＷＳＤ１００は、そのデジタルテレビ放送の視聴者から放送を受信したいリクエストがあるかどうかを判断する（ステップＳ１０３）。
【００６１】
デジタルテレビ放送が所定の周波数帯で放映中であるが、そのデジタルテレビ放送の視聴者から放送を受信したいリクエストがなければ（ステップＳ１０３、Ｎｏ）、ＷＳＤ１００は、当該周波数帯を無線通信のみに使用することを決定する（ステップＳ１０４）。一方、デジタルテレビ放送が所定の周波数帯で放映中であり、そのデジタルテレビ放送の視聴者が視聴に用いるＤＴＶ受信機２００から放送を受信したいリクエストがあれば（ステップＳ１０３、Ｙｅｓ）、ＷＳＤ１００は、現在、電波塔１０のカバレージエリア１１に自身がいるかどうかを判断する（ステップＳ１０５）。
【００６２】
電波塔１０のカバレージエリア１１にいない場合は（ステップＳ１０５、Ｎｏ）、ＷＳＤ１００は、電波塔１０から放送されるデジタルテレビ放送を視聴し、配信する権利を得るための登録を確認してから、そのデジタルテレビ放送のコンテンツを再配信する（ステップＳ１０６）。一方、電波塔１０のカバレージエリア１１にいる場合は（ステップＳ１０５、Ｙｅｓ）、ＷＳＤ１００は、リクエストを送信したＤＴＶ受信機２００に、電波塔１０から放送されるデジタルテレビ放送を見る権利があるかどうかを判断する（ステップＳ１０７）。
【００６３】
リクエストを送信したＤＴＶ受信機２００に、電波塔１０から放送されるデジタルテレビ放送を見る権利がなければ（ステップＳ１０７、Ｎｏ）、ＷＳＤ１００は、ＤＴＶ受信機２００が電波塔１０から放送されるデジタルテレビ放送を視聴し、配信する権利を得るための登録を行ったことを確認してから、そのデジタルテレビ放送のコンテンツを再配信する（ステップＳ１０８）。一方、リクエストを送信したＤＴＶ受信機２００に、電波塔１０から放送されるデジタルテレビ放送を見る権利があれば（ステップＳ１０７、Ｙｅｓ）、ＷＳＤ１００は、デジタルテレビ放送のコンテンツを再配信する（ステップＳ１０９）。
【００６４】
なお、ＷＳＤ１００は、リクエストを送信したＤＴＶ受信機２００に、電波塔１０から放送されるデジタルテレビ放送を見る権利があるかどうかを、そのＤＴＶ受信機２００が移動体であるかどうかで判断しても良い。
【００６５】
［１．４．ユーザインタフェース構成例］
続いて、通信リソースの最適な配分をＷＳＤ１００のオペレータに行わせる際に用いられるユーザインタフェースについて検討する。本実施形態では、ＷＳＤ１００を扱うのは、放送局などと比べて比較的規模の小さい事業者であることを想定する。この事業者は、後述する通信リソース配分プランの例などを基に、通信リソースの配分プランを決めて、実際の通信リソースの配分に関するオペレーションを行うものとする。
【００６６】
図９は、通信リソースの最適な配分をオペレータに行わせる際に用いられる、ＷＳＤ１００の通信リソース配分ＵＩ  １６０の構成例を示す説明図である。
【００６７】
図９に示したように、通信リソース配分ＵＩ  １６０は、通信リソース配分状況提示ＵＩ  １６１と、通信リソース配分プラン選択ＵＩ  １６２と、通信リソース損益予測提示ＵＩ  １６３と、を含んで構成される。
【００６８】
通信リソース配分状況提示ＵＩ  １６１は、通信リソースを放送と無線通信とに配分した際の損益を提示するためのユーザインタフェースである。ＷＳＤ１００は、通信リソース配分状況提示ＵＩ  １６１によって通信リソースを放送と無線通信とに配分した際の損益をオペレータに提示することで、通信リソースをどのように配分すれば効果的に利益を上げられるかをオペレータに示すことが出来る。
【００６９】
通信リソース配分プラン選択ＵＩ  １６２は、ＷＳＤ１００のオペレータに通信リソースの配分プランを選択させるためのユーザインタフェースである。通信リソース配分部１３０は、通信リソース配分プラン選択ＵＩ  １６２によって選択された通信リソースの配分プランに基づいて通信リソースを放送と無線通信とに配分する。
【００７０】
通信リソース損益予測提示ＵＩ  １６３は、通信リソースを放送と無線通信とに配分した際の損益の予測を提示するユーザインタフェースである。
【００７１】
通信リソース状況予測部１７０は、通信リソースを放送と無線通信とに配分した際の損益を予測する。通信リソース状況予測部１７０は、通信リソースを放送と無線通信とに配分した際の損益を予測する際に、通信リソース状況データベース（ＤＢ）１８０に格納されているデータを参照しうる。通信リソース損益予測提示ＵＩ  １６３は、通信リソースを放送と無線通信とに配分した際の損益の予測を提示する際に、通信リソース状況予測部１７０が予測した値を提示する。
【００７２】
通信リソース配分ＵＩ  １６０は、図９に示したような構成を有することで、オペレータに通信リソースの配分プランを決めさせて、実際の通信リソースの配分に関するオペレーションを行わせることが出来る。
【００７３】
［１．５．変形例］
以上説明したように、本開示の実施の形態に係るＷＳＤ１００は、通信リソースを放送と無線通信とに配分することで、放送を妨害せずに通信網を増強させることが出来る。
【００７４】
本開示の実施の形態に係るＷＳＤ１００は、放送の代行を兼用する無線通信基地局であるともいえ、放送と無線を同時に行うだけのシステムではない。そこで、続いては放送の代行をする無線通信基地局としてのＷＳＤ１００の効果を考える。例えば、ＷＳＤ１００に以下のような再配信した放送コンテンツの再配信状況を集計する機能を加えることで、さらなる無線通信基地局としての効果が考えられる。
【００７５】
図１０は、本開示の実施の形態に係るＷＳＤ１００の変形例を示す説明図である。
【００７６】
図１０に示したのは、通信リソース配分部１３０が通信リソースを配分し、再配信したデジタルテレビ放送のコンテンツの再配信状況を集計した結果を格納する放送再配信状況データベース１８０を備えた、本開示の実施の形態に係るＷＳＤ１００の構成例である。
【００７７】
通信リソース配分部１３０がデジタルテレビ放送のコンテンツの再配信状況を集計することで、ＷＳＤ１００はデジタルテレビ放送の視聴率を計測できる。通常、放送電波は片方向であるから、視聴率を計測するには、受信機側に特別な機器を設置することが必要である。しかし、通信リソース配分部１３０がデジタルテレビ放送のコンテンツの再配信状況を集計することで、ＷＳＤ事業者は、事実上、視聴率計測の代行を行うことができる。
【００７８】
すなわちＷＳＤ事業者は、双方向の通信を使って放送を配信できる。双方向の通信を使って放送を配信する場合、ＷＳＤ１００は、再配信を行った時間などの情報を放送再配信状況データベース１８０に保存する。
【００７９】
図１０には、ホワイトスペースを使用した無線通信システムを統合する二次システム統合サーバ５０と、二次システム統合サーバ５０が各ＷＳＤ１００から取得したデータを格納する放送再配信状況統合データベース６０と、も示されている。
【００８０】
ＷＳＤ１００は、ホワイトスペースを使用した無線通信システムを統合する二次システム統合サーバ５０に、集計したデジタルテレビ放送のコンテンツの再配信状況のデータを送信する。二次システム統合サーバ５０は、従来のように受信機側に特別な機器を設置しなくても、デジタルテレビ放送の視聴率を容易に集計できる。
【００８１】
また、ホワイトスペースを使用した無線通信システムを統合する二次システム統合サーバ５０は、それぞれのＷＳＤ１００に登録された、コンテンツの再配信を希望するユーザのプロフィールなどを基に、年齢層別や、男女別の視聴率を取得することも容易である。
【００８２】
また、二次システム統合サーバ５０は、再配信されたコンテンツのチャンネルなどの傾向を用いて、ユーザの嗜好性や家族構成などを大まかに推定することが出来るとともに、推定したユーザの嗜好性や家族構成などに基づいて視聴率を算出することもできる。二次システム統合サーバ５０は、嗜好性を推定する際に、たとえば、協調フィルタなどを用いて距離ベースでクラスタリングなどを行ってもよい。また、二次システム統合サーバ５０は、家族構成を推定することなどの未知の情報を推定することに用いてもよい。二次システム統合サーバ５０は、未知の情報を推定する場合、チャンネルや利用時間などを説明変数としてなど未知の情報を判別または回帰する技術を用いてもよい。二次システム統合サーバ５０は、判別または回帰の方法として、機械学習技術などを用いてもよい。二次システム統合サーバ５０は、機械学習技術として、例えばＳＶＭ（サポートベクタマシン）やニューラルネットワーク（ディープラーニング）などを用いても良い。
【００８３】
本開示の実施の形態に係るＷＳＤ１００は、放送コンテンツ再配信部１４０からコンテンツを再配信する際に、地域や視聴者に応じて放送コンテンツの一部を変更して再配信してもよい。すなわち、本開示の実施の形態に係るＷＳＤ１００は、一律に放送されるコマーシャルを、地域や視聴者に応じて適切なコマーシャルに差し替えて再配信することができる。ここで、地域に応じてとは、ＷＳＤ事業者、または視聴者の所在する地域に応じて、という意味である。また、視聴者に応じてとは、視聴者のプロフィール（前述のように男女、年齢、家族構成、嗜好、住居種別（持ち家か、賃貸か、共同住宅か、戸建てか）、持ち物（車、バイクをもっているか、楽器をもっているか）などに応じて、という意味である。
【００８４】
図１１は、本開示の実施の形態に係るＷＳＤ１００の変形例を示す説明図である。図１１に示したＷＳＤ１００は、図７に示したＷＳＤ１００にプロフィールデータベース１９１と、差し替えコンテンツデータベース１９２と、が追加された構成を有する。放送コンテンツ再配信部１４０は、デジタルテレビ放送のコンテンツを再配信する際に、プロフィールデータベース１９１及び差し替えコンテンツデータベース１９２を参照して、放送コンテンツの一部を変更して再配信する。
【００８５】
プロフィールデータベース１９１は、視聴者の所在する地域や、上述した視聴者のプロフィール等が格納されるデータベースである。差し替えコンテンツデータベース１９２は、コンテンツの一部に差し替えられるコンテンツに関する情報が格納されるデータベースである。差し替えコンテンツデータベース１９２には、コンテンツの一部に差し替えられるコンテンツそのものが格納されても良く、ＩＤ情報のような、コンテンツの一部に差し替えられるコンテンツを参照するための情報が格納されても良い。
【００８６】
なお放送コンテンツの一部を変更する際には、オペレータに変更する内容を決定させるためのユーザインタフェースが用いられても良い。オペレータに変更する内容を決定させるためのユーザインタフェースは後に詳述する。
【００８７】
なお、プロフィールデータベース１９１と差し替えコンテンツデータベース１９２との少なくともいずれかは、ＷＳＤ１００とは別の装置に設けられても良い。
【００８８】
図１２は、本開示の実施の形態に係るＷＳＤ１００の動作例を示す流れ図である。図１２に示した流れ図は、放送コンテンツ再配信部１４０からコンテンツを再配信する際に、地域や視聴者に応じて放送コンテンツの一部を変更して再配信する場合の動作例である。図１２に示した処理は、例えば放送コンテンツ再配信部１４０が実行する。以下、図１２を用いて本開示の実施の形態に係るＷＳＤ１００の動作例について説明する。
【００８９】
ＷＳＤ１００は、放送コンテンツの一部を変更する際に、まず変更しようとするコンテンツの場所が改変可能な箇所であるかどうか判断する（ステップＳ１１１）。改変可能な箇所の例としては、コマーシャルなどがある。
【００９０】
変更しようとするコンテンツの場所が改変可能な箇所でなければ（ステップＳ１１１、Ｎｏ）、ＷＳＤ１００は放送コンテンツの改変を行わずに処理を終了する。一方、変更しようとするコンテンツの場所が改変可能な箇所であれば（ステップＳ１１１、Ｙｅｓ）、ＷＳＤ１００は、続いて、コンテンツを再配信する地域や、再配信するコンテンツを視聴する視聴者の情報を確認する（ステップＳ１１２）。ＷＳＤ１００は、ステップＳ１１２で地域や視聴者の情報を確認する際にプロフィールデータベース１９１を参照する。
【００９１】
ＷＳＤ１００は、上記ステップＳ１１２で地域や視聴者の情報を確認すると、続いて、上記ステップＳ１１２で確認した地域や視聴者に適切なコンテンツを選択する（ステップＳ１１３）。ＷＳＤ１００は、ステップＳ１１３でコンテンツを選択する際に差し替えコンテンツデータベース１９２を参照する。
【００９２】
ＷＳＤ１００は、上記ステップＳ１１３でコンテンツを選択すると、続いて、コンテンツを差し替えた後の改変済みコンテンツを配信する（ステップＳ１１４）。
【００９３】
本実施形態では、ＷＳＤ１００がデジタルテレビ放送を代行する場合、放送される対象がどのようなプロフィールを持っているのかを把握できることが特徴となる。従って、広告事業者は、従来よりも効率的にかつ適切に、放送コンテンツを通してコンシューマにアクセスすることができる。
【００９４】
具体的には、ＷＳＤ１００は、車やバイクを持っている人には、車やバイクの買い替え情報を提供したり、賃貸住宅に住む人には、持ち家を勧めたりすることができる。このように適切な広告を適切なターゲットへ配信できるようになると、広告の効果が向上することになる。また、広告単価が上がる結果、広告収入が多くなるという効果を奏する。なお、車やバイクを持っているかどうか、賃貸住宅か持ち家かなどの情報は、事前に登録された情報であってもよいし、機械学習やデータマイニングの手法を用いて、視聴履歴と登録情報から推定した情報であってもよい。
【００９５】
図１３は、本実施形態に係るＷＳＤ１００を用いた広告収入の流れについて説明する図である。
【００９６】
通常、認可放送局は、広告を打ちたい企業から、広告のためのスペース（時間）を提供して、その対価として企業からお金を受け取る。しかしこの通常の方法では、認可放送局は、放送などで実際の視聴者のプロフィールなどを確認することができないので、必ずしも実際の視聴者にとって効果的であるとは限らない。
【００９７】
一方、地域別のＷＳＤによる放送再配信統合システムでは、配信する地域が明確であるから、例えば特定の地域に限定されたローカルな広告などは、全国区の放送の枠で広告枠を得るよりも効果的である。
【００９８】
すると、例えば地域毎に存在するＷＳＤ事業者は、この全国区向けの広告枠で放送される広告を、特定の地域に向けた広告に差し替えることを認可放送局などに求める。ここで、ＷＳＤ事業者は、元々広告枠を所持している、全国区向けの広告を流す大企業に払う対価よりも、ローカル企業が差し替えで得られる対価が大きければ、広告の差し替えの許可を求める。認可放送局は、差し替えた分を大企業に払い戻すことで大企業の広告スペースを買い戻して、このスペースを地域別再配信システムに提供する。差し替え時にどれくらいの払い戻しをするかはあらかじめ認可放送局と大企業との契約であらかじめ決められている。そして、ＷＳＤ事業者が大企業に差し替え時に払う対価は、この契約に基づいて決まった額が提示されている。さらに、認可放送局は、この提示額を、解約による支払よりもＷＳＤ事業者から受け取る額を多くすることで、利益を得てもよい。
【００９９】
ＷＳＤ１００を用いたデジタルテレビ放送のコンテンツの再配信システムは、より適切に視聴者に訴求できる広告コンテンツを提供することができる。
【０１００】
このように、無線システムでの放送の代行が進むことで、オンデマンド配信が促進され、また、電波塔の縮小なども進むことが考えられる。
【０１０１】
以上をまとめると、ホワイトスペースを使用した無線システムによるデジタルテレビ放送の代行により、従来はホワイトスペース利用ができなかった領域でホワイトスペースを使用した無線通信が可能になり、無線通信容量が向上する。
【０１０２】
またホワイトスペースを使用した無線システムによるデジタルテレビ放送の代行により、ＷＳＤ事業者が事業を行える損益や予測をみてリソース配分プランを選択でき、ＷＳＤ事業者の普及が進むことが期待できる。
【０１０３】
またホワイトスペースを使用した無線システムによるデジタルテレビ放送の代行により、デジタルテレビ放送の詳細な視聴率の情報をＷＳＤ事業者が取得でき、デジタルテレビ放送の視聴者へＣＭを含んだコンテンツを適切に提供できる。
【０１０４】
またホワイトスペースを使用した無線システムによるデジタルテレビ放送の代行により、ホワイトスペースで放送を再配信する方法が普及すれば、電波塔そのもののパワーを減らしたり撤去したりできることが期待できる。
【０１０５】
またホワイトスペースを使用した無線システムによるデジタルテレビ放送の代行により、ＷＳＤによるオンデマンド放送を普及させることが期待できる。
【０１０６】
［１．６．ユーザインタフェース例］
続いて、本実施形態に係るＷＳＤ１００がオペレータなどに提示するユーザインタフェースの例を説明する。
【０１０７】
最初に、本実施形態に係るＷＳＤ１００を用いたホワイトスペース無線システムの事業者に向けた、通信リソース配分プランを選択させるためのユーザインタフェースについて説明する。
【０１０８】
まず、ＷＳＤ１００のオペレータの収入支出について考える。ＷＳＤ１００のオペレータは、無線通信によって通信会社から対価を得るとともに、放送会社から対価を得たり、ペナルティを受けたりする。
【０１０９】
ここで、ＷＳＤ１００のオペレータが通信会社から得られる対価とは、通信網を貸与したことの見返りとして得られる対価である。また、ＷＳＤ１００のオペレータが放送会社から得られる対価とは、放送を再配信したことの見返りとして得られる対価である。また、ＷＳＤ１００のオペレータが放送会社から受けるペナルティとは、通信により放送を妨害したことによるペナルティであるが、これは放送局からペナルティを科せられるというよりは、このペナルティが科せられないように、ＷＳＤ１００のオペレータが、責任をもって放送を復旧させることを意図している。
【０１１０】
図１４は、ＷＳＤ１００のオペレータに向けたユーザインタフェースの例を示す説明図である。図１４に示したのは、ＷＳＤ１００のオペレータが、ＷＳＤ１００やデジタルテレビ放送の現在の需要や、需要と供給に応じて決まる単価を確認するための、ユーザインタフェースの例である。
【０１１１】
ＷＳＤ１００のオペレータは、図１４に示したようなユーザインタフェースで、ＷＳＤ１００やデジタルテレビ放送の現在の需要や、需要と供給に応じて決まる価格を確認することができる。
【０１１２】
図１４に示したように、ホワイトスペース利用時の通信単価と、デジタルテレビ放送の再配信時の通信単価とを表示するユーザインタフェースがあれば、ＷＳＤ１００のオペレータは、現在持っている無線リソースを、ホワイトスペースを使用した無線通信に利用した方がよいのか、デジタルテレビ放送の再配信に利用した方がよいのかを、適切に判断するための指針を得ることができる。なお、デジタルテレビ放送の再配信時の通信単価は、デジタルテレビ放送の視聴率などと連動してもよい。
【０１１３】
続いて、実際に、オペレータが通信リソース配分を決めるインターフェースを説明する。図１５は、ＷＳＤ１００のオペレータに向けたユーザインタフェースの例を示す説明図である。図１５に示したのは、ＷＳＤ１００のオペレータが、現在の配信プランや、他の配信プランも含めた価格を確認するための通信リソース配分プラン選択ＵＩ  １６２の例である。
【０１１４】
ＷＳＤ１００のオペレータは、図１５に示した通信リソース配分プラン選択ＵＩ  １６２を用いて、プランを変更する形で通信リソース配分を決める。ＷＳＤ１００は、ＷＳＤ１００のオペレータが設定したプランに応じてチャンネルの配分などを決定する。図１５に示したようなユーザインタフェースをオペレータに操作させることで、ＷＳＤ１００は、オペレータにチャンネルの難しい仕組みなどに関与させることなく、最適にリソースを配分することができる。
【０１１５】
図１５に示した通信リソース配分プラン選択ＵＩ  １６２の例における４つの配信プランは、例えばプランＡがＦＩＸ（デジタルテレビ放送の再配信とホワイトスペースを使用した無線通信の比率が固定）、プランＢが自動最適化、プランＣが通信会社の指針に追従（通信会社の希望に応じてそのまま決める）、プランＤが放送会社の指針に追従（放送会社の希望に応じてそのまま決める）などの選択肢であるとする。
【０１１６】
図１５に示した例では、現在プランＤが選択されている。ＷＳＤ１００のオペレータは、通信リソース配分プラン選択ＵＩ  １６２が示している価格を見て、オペレータにとって最も良いプラン（例えば価格が最も高いプラン）を選び、プラン変更ボタンを用いて変更することができる。
【０１１７】
例えば、スポーツなどのリアルタイム性があり人気のあるコンテンツでは、デジタルテレビ放送の需要が高まる。このため、そのような人気のあるコンテンツではデジタルテレビ放送の再配信の単価が高くなる。つまり、コンテンツを配信する認可放送局やコンテンツに広告を出す事業者が再配信を強く望んでいるので、単価が高くなる。そこで、放送事業者は、コンテンツの人気に応じて単価を決めてもよい。
【０１１８】
また例えば、朝の登校や出社の時間帯や、夕方から夜にかけての帰宅時間帯などでは、逆にホワイトスペースを使用した無線通信の需要が高まる。このため、そのような時間帯では、ホワイトスペースを使用した無線通信の単価が高くなる。ＷＳＤ１００のオペレータは、ホワイトスペースを使用した無線通信が多くなるようなプランを選択する。するとＷＳＤ１００は、自動的にホワイトスペースを使用した無線通信が多くなるようにリソースを割り当てる。なお、通信リソース配分プラン選択ＵＩ  １６２は、ＷＳＤ１００のオペレータに対して、推薦する配分プランを提示しても良い。例えば、価格が最も高いプランを推薦する設定になっていれば、通信リソース配分プラン選択ＵＩ  １６２は、最も価格が高いプランＣを推薦する旨を提示するようにしても良い。
【０１１９】
ＷＳＤ１００は、単価をオペレータに確認させるために、時系列のグラフを生成してもよい。図１６は、ＷＳＤ１００のオペレータに向けたユーザインタフェースの例を示す説明図である。図１６に示したのは、ＷＳＤ１００のオペレータに、価格変動を時系列のグラフで提示する際のユーザインタフェースの例である。図１６に示した時系列のグラフは、現在までの時間に応じた価格の変動について表示するのみならず、未来の時間に応じた価格の変動についてもある程度予測して提示している。
【０１２０】
ＷＳＤ１００は、図１６に示したような時系列のグラフを生成する際に、未来の価格変動については、以前の価格傾向などから予測したものを生成してもよい。ＷＳＤ１００は、未来の価格について、図１６に示したように予測誤差を考慮して太く描いてもよい。ＷＳＤ１００は、この未来の価格変動を予測する際に、過去の同じ条件における平均及び分散を用いてもよい。またＷＳＤ１００は、未来の価格変動の予測精度を高めるために、機械学習やデータマイニングの技術を用いてもよい。機械学習の技術としては、ベクタマシンを用いた回帰、時系列データや時系列モデル（隠れマルコフモデル）を用いた観測値の予測などが考えられる。ベクタマシンを用いた回帰を使う予測については、例えば特開２０１３−２１１６１６号公報などで開示されている技術を用いても良い。また隠れマルコフモデルを用いた観測値の予測については、例えば特開２０１３−２０５１７０号公報や、特開２０１３−２０５１７０号公報などで開示されている技術を用いても良い。
【０１２１】
このように未来の価格について時系列で予測して提示することで、ＷＳＤ１００は、オペレータが外出する予定等があってリアルタイムにプランを決められない場合に、オペレータに予測に応じてプランを決めさせることができる。
【０１２２】
本実施形態によれば、ホワイトスペース事業者は、上述したようにＤＴＶ受信機２００に視聴率を測定するための機器を設置することなく、ＤＴＶ受信機２００におけるデジタルテレビ放送の視聴率を確認することができる。またホワイトスペース事業者は、必要に応じてデジタルテレビ放送のコンテンツの一部を変更することもできる。
【０１２３】
すなわち、ホワイトスペース事業者は、本来は一方的な方向である放送を、双方向の無線システムによって代行することができる。従って、本実施形態に係るＷＳＤ１００を用いることで、ホワイトスペース事業者は、ユーザからの受信リクエストの把握、視聴状況の正確な把握、地域や視聴者に応じた適切なコンテンツの提供が可能になる。そこで、続いては、ユーザからの受信リクエストの把握、視聴状況の正確な把握、地域や視聴者に応じた適切なコンテンツの提供のために用いられるユーザインタフェースについて説明する。
【０１２４】
まず、ＷＳＤ１００のオペレータに視聴率の情報を提示するためのユーザインタフェースについて説明する。ＷＳＤ１００は、視聴率の情報を、現在以前のものだけ提示しても良いが、未来の視聴率の変動の予測を含めて提示しても良い。
【０１２５】
図１７は、ＷＳＤ１００のオペレータに向けたユーザインタフェースの例を示す説明図である。図１７に示したのは、ＷＳＤ１００のオペレータに、視聴率の変動を時系列のグラフで提示する際のユーザインタフェースの例である。視聴率の予測はＷＳＤ１００が行っても良く、別の装置が行っても良い。視聴率の予測方法には様々なものがあるが、例えば、放送コンテンツや時間帯などを入れると、過去の類似の放送コンテンツや一般的な時間帯の視聴率をマージして、予測した視聴率が出力されるようにしてもよい。
【０１２６】
上述したように、デジタルテレビ放送の視聴率を確認するには、複数のＷＳＤ１００を束ねるサーバがあることが望ましいが、この視聴率の情報は、それぞれのＷＳＤ１００で共有出来るようにしても良い。視聴率の情報は、それぞれのＷＳＤ１００で共有出来るようにすることで、ホワイトスペース事業者やＷＳＤ１００のオペレータは、現在以前の視聴率や将来の視聴率の予測などを基に、各プランの価格や、視聴率の予測を変更できる。
【０１２７】
続いて、コンテンツの一部を変更するためのユーザインタフェースについて説明する。図１８は、ＷＳＤ１００のオペレータに向けたユーザインタフェースの例を示す説明図である。図１８に示したのは、デジタルテレビ放送のコンテンツの合間に流される広告コンテンツを変更するためのユーザインタフェース３００の例である。
【０１２８】
図１８に示したユーザインタフェース３００は、広告コンテンツスライダ３０１と、時間軸変更スライダ３０２と、を備える。それぞれのスライダは、ユーザがマウスポインタのカーソルを重ねることで移動されるようにしてもよく、表示画面にタッチパネルが設けられていればフリック入力などに応答してスライドするようにしてもよい。なお、表示画面にタッチパネルが設けられている場合、必ずしもそれぞれのスライダが表示されていなくてもよく、ユーザによるスライドの動作だけが実行されればよい。
【０１２９】
時間軸変更スライダ３０２は、コンテンツ群３１０の中から、フォーカスする時間軸を設定するためのスライダである。時間軸変更スライダ３０２の移動に応じて、フォーカスする時間帯が変わる。例えば、広告コンテンツＡ１がフォーカスされている際に、時間軸変更スライダ３０２が下方向に操作されると、次の広告コンテンツＡ２がフォーカスされる。
【０１３０】
広告コンテンツスライダ３０１は、広告コンテンツ群３２０の中から広告コンテンツを選択するためのスライダである。広告コンテンツスライダ３０１の移動に応じ、フォーカスされている広告コンテンツがＡ１，Ｂ１，Ｃ１，Ｄ１のように切り替わる。ＷＳＤ１００のオペレータは、広告コンテンツスライダ３０１を操作して広告コンテンツを選択すると、ＷＳＤ１００からコンテンツの再配信を受ける視聴者に対して放送される広告コンテンツが切り替わる。
【０１３１】
コンテンツを選択する方法には、例えば、スライドされた時点でフォーカスされたものとする方法、フォーカスした後に所定のボタンを押す方法、表示されている他のコンテンツを選択してクリックする方法など、様々な方法があり、特定の方法に限られるものでは無い。
【０１３２】
なお、図１８において、広告コンテンツの下に書かれている単価とは、その広告を表示する場合の広告収入料である。この広告収入量は、ＷＳＤ１００のオペレータが得られる広告収入料でも良く、ＷＳＤ１００のオペレータを統合するホワイトスペース事業者の広告収入料でも良く、または、元々のコンテンツを放送する放送局の広告収入料でも良い。
【０１３３】
各広告コンテンツの広告収入料は、元々のコンテンツでの広告コンテンツをキャンセルして、替わりに別の広告コンテンツを配信する場合の広告料の差分を計算することで得られるものである。しかし、広告枠は１つのコンテンツの中に数多く存在することもあり、各広告枠に対して変更対象となる広告コンテンツを一つ一つ設定するのは、ホワイトスペース事業者にとって大変な負担である。そこでホワイトスペース事業者は、予め広告プランのようなものを設定してもよく、ＷＳＤ１００は、ＷＳＤ１００のオペレータに、その広告プランを選択させるためのユーザインタフェースを提示してもよい。
【０１３４】
広告プランは、例えばオリジナル放送を選択するプラン、男性／高年齢層向けのプラン、女性／若者向けのプラン、男性／子供向けのプランなど、性別や年齢層に応じて分かれていてもよく、地域に応じて分かれていてもよい。
【０１３５】
図１９は、ＷＳＤ１００のオペレータに向けたユーザインタフェースの例を示す説明図である。図１９に示したのは、ＷＳＤ１００に登録されている視聴者と、その視聴者の地域、プロフィール、その視聴者に帯する広告プランを提示したユーザインタフェース４００の例である。図１９に示したように、ユーザに応じて選択された広告プランを提示することで、ＷＳＤ１０は、オペレータに広告コンテンツを細かに設定させるのではなく、広告プランに基づいて対価の高い広告コンテンツを自動的に選択することができる。
【０１３６】
選択した広告プランが、実際の放送コンテンツの視聴状況などから不適切であることが分かった場合は、ＷＳＤ１００のオペレータは広告プランを変更したいと考えることが想定される。ＷＳＤ１００は、オペレータに広告プランを変更させるためのユーザインタフェースを提示しても良い。図２０は、ＷＳＤ１００のオペレータに向けたユーザインタフェースの例を示す説明図である。図２０に示したのは、オペレータに広告プランを変更させるためのユーザインタフェース５００の例である。
【０１３７】
本開示の実施の形態によれば、ＷＳＤ１００は、オペレータに対して通信と放送の単価、様々な通信と放送のリソース配分プランの価格、及びリソース配分プランの時系列予測を確認させることができ、また、オペレータに対してリソース配分プランを選択させたり変更させたりすることができる。
【０１３８】
また本開示の実施の形態によれば、ＷＳＤ１００は、オペレータに対して地域や視聴者のプロフィール別の視聴率、視聴率の時系列予測を確認させることができ、また、視聴者別に広告コンテンツを選択、変更をさせたり、視聴者別に広告プランの選択、変更をさせたりすることができる。
【０１３９】
＜２．まとめ＞
以上説明したように、本開示の実施の形態によれば、放送電波で用いられる周波数帯またはその周辺の周波数帯を利用して無線通信を行う機能と、放送コンテンツを取得して、所持する通信リソースを用いて再配信する機能とを組み合わせて、放送コンテンツを妨害せずに、無線通信の容量を拡大することが可能なＷＳＤ１００を提供することが出来る。
【０１４０】
本開示の実施の形態に係るＷＳＤ１００は、放送コンテンツの再配信時と、無線通信時との価格に応じて、通信リソースを配分するプランを確認させたり、変更させたりするインターフェースをオペレータに提示することができる。また、本開示の実施の形態に係るＷＳＤ１００は、デジタルテレビ放送のコンテンツを再配信することで、特別な機器を設置せずに事業者やオペレータに視聴率を確認させたり、視聴者に適切な広告コンテンツを提供したりすることができる。
【０１４１】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１４２】
例えば、通信リソース配分部１３０は、通信リソースを放送と無線通信とに配分する際に、無線通信の強度を制御しても良い。通信リソース配分部１３０は、通信リソースを放送と無線通信とに配分する際に、無線通信の強度も併せて制御すると、配分対象の周波数帯が放送で使われていなければ、より強い強度で無線通信を行って、ＷＳＤ１００の無線通信のカバレージエリアを広げることが可能になる。
【０１４３】
また、本明細書の処理における処理ステップは、必ずしもフローチャート又はシーケンス図に記載された順序に沿って時系列に実行されなくてよい。例えば、処理における処理ステップは、フローチャート又はシーケンス図として記載した順序と異なる順序で実行されても、並列的に実行されてもよい。
【０１４４】
また、本明細書の装置（例えば、ＷＳＤ、ＤＴＶ受信機もしくは管理サーバ、又はそのモジュール）に備えられるプロセッサ（例えば、ＣＰＵ、ＤＳＰなど）を上記装置として機能させるためのコンピュータプログラム（換言すると、上記プロセッサに上記装置の構成要素の動作を実行させるためのコンピュータプログラム）も作成可能である。また、当該コンピュータプログラムを記録した記録媒体も提供されてもよい。また、上記コンピュータプログラムを記憶するメモリと、上記コンピュータプログラムを実行可能な１つ以上のプロセッサとを備える装置（例えば、完成品、又は完成品のためのモジュール（部品、処理回路若しくはチップなど））も提供されてもよい。また、上記装置の１つ以上の構成要素（例えば、情報取得部及び／又は制御部など）の動作を含む方法も、本開示に係る技術に含まれる。
【０１４５】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１４６】
なお、以下のような構成も本開示の技術的範囲に属する。
（１）
所定の周波数帯を使用する第１の通信サービスの需要情報又は供給情報と、前記所定の周波数帯を二次利用する第２の通信サービスの需要情報又は供給情報とを取得し、前記需要情報又は前記供給情報に基づいて、前記所定の周波数帯の通信リソースを、前記第１の通信サービスと前記第２の通信サービスとに配分する制御部と、
を備える、制御装置。
（２）
前記制御部は、予測された将来の需要情報又は供給情報を取得し、前記予測された将来の需要情報又は供給情報に基づいて前記通信リソースを配分する、前記（１）に記載の制御装置。
（３）
前記制御部は、取得した情報を提示するための情報を生成する、前記（１）または（２）に記載の制御装置。
（４）
前記制御部は、前記通信リソースの配分結果に基づき前記第１の通信サービスで送信されるデータの一部を差し替えさせるための情報を生成する、前記（１）〜（３）のいずれかに記載の制御装置。
（５）
前記制御部は、取得した情報に基づいて前記通信リソースの配分プランを生成する、前記（１）〜（４）のいずれかに記載の制御装置。
（６）
前記制御部は、推薦する前記配分プランを提示するための情報を生成する、前記（５）に記載の制御装置。
（７）
前記制御部は、前記所定の周波数帯でデータが送信される際の単価を取得する、前記（１）〜（６）のいずれかに記載の制御装置。
（８）
前記単価は、前記第１の通信サービスで提供されるデータの内容に応じて決定される、前記（７）に記載の制御装置。
（９）
前記単価は、前記第２の通信サービスでデータが通信される時間帯に応じて決定される、前記（７）に記載の制御装置。
（１０）
前記制御部は、前記第１の通信サービスを使用する受信装置からの要求に基づいて前記通信リソースを配分する、前記（１）〜（９）のいずれかに記載の制御装置。
（１１）
前記制御部は、前記受信装置が前記第１の通信サービスを使用する権利がある場合に限り該受信装置へ前記第１の通信サービスでデータを送信するよう決定する、前記（１０）に記載の制御装置。
（１２）
前記制御部は、前記第１の通信サービスで提供されるデータを送信する権利がある場合に限り該受信装置へ前記第１の通信サービスでデータ送信するよう決定する、前記（１０）に記載の制御装置。
（１３）
前記制御部は、前記第１の通信サービスで提供されたデータの送信状況を集計する、前記（１）〜（１２）のいずれかに記載の制御装置。
（１４）
前記制御部は、さらに、前記第２の通信サービスで出力するデータの出力強度を制御する、前記（１）〜（１３）のいずれかに記載の制御装置。
（１５）
前記制御部は、周波数帯ごとに通信リソースを前記第１の通信サービスと前記第２の通信サービスとに配分する、前記（１）〜（１４）のいずれかに記載の制御装置。
（１６）
所定の周波数帯を使用する第１の通信サービスの需要情報又は供給情報を取得することと、
前記需要情報又は前記供給情報に基づいて、通信リソースを前記第１の通信サービスと、前記所定の周波数帯を二次利用する第２の通信サービスとに配分することと、
を含む、方法。
（１７）
コンピュータに、
所定の周波数帯を使用する第１の通信サービスの需要情報又は供給情報を取得することと、
前記需要情報又は前記供給情報に基づいて、通信リソースを前記第１の通信サービスと、前記所定の周波数帯を二次利用する第２の通信サービスとに配分することと、
を実行させる、コンピュータプログラム。
【符号の説明】
【０１４７】
１０      ：電波塔
１１      ：カバレージエリア
１２      ：難視聴エリア
２０      ：ホワイトスペース
３０      ：中継局
４０      ：放送局
５０      ：二次システム統合サーバ
６０      ：放送再配信状況統合データベース
１００    ：ＷＳＤ
２００    ：ＤＴＶ受信機
３００    ：ユーザインタフェース
３０１    ：広告コンテンツスライダ
３０２    ：時間軸変更スライダ
３１０    ：コンテンツ群
３２０    ：広告コンテンツ群
４００    ：ユーザインタフェース
５００    ：ユーザインタフェース
【図１】
2016199549.tif 000003
【図２】
2016199549.tif 000004
【図３】
2016199549.tif 000005
【図４】
2016199549.tif 000006
【図５】
2016199549.tif 000007
【図６】
2016199549.tif 000008
【図７】
2016199549.tif 000009
【図８】
2016199549.tif 000010
【図９】
2016199549.tif 000011
【図１０】
2016199549.tif 000012
【図１１】
2016199549.tif 000013
【図１２】
2016199549.tif 000014
【図１３】
2016199549.tif 000015
【図１４】
2016199549.tif 000016
【図１５】
2016199549.tif 000017
【図１６】
2016199549.tif 000018
【図１７】
2016199549.tif 000019
【図１８】
2016199549.tif 000020
【図１９】
2016199549.tif 000021
【図２０】
2016199549.tif 000022
【国際調査報告】
2016199549.tif 000023
2016199549.tif 000024
2016199549.tif 000025
2016199549.tif 000026